(57)【特許請求の範囲】
【請求項１】
施設又は部屋の入出状況を検出する複数の端末機器と、
前記複数の端末機器からなる一の端末機器群が接続された一の入出管理制御手段と、
特定の一の前記端末機器を連動元とし、他の前記端末機器を連動先とする連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の連動動作を実行制御するための連動制御データを作成する連動制御データ作成手段と、
を有することを特徴とする入出管理システム。
【請求項２】
少なくとも、各施設又は部屋に設けられ、該各施設又は部屋の入出状況を検出する一又は複数の端末機器と、
前記一又は複数の端末機器からなる複数の端末機器群の各々に、個別に接続された複数の入出管理制御手段と、
特定の一の前記端末機器又は前記入出管理制御手段を連動元とし、他の前記端末機器又は前記入出管理制御手段を連動先とする連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の連動動作を実行制御するための連動制御データを作成する連動制御データ作成手段と、
を有することを特徴とする入出管理システム。
【請求項３】
前記連動制御データ作成手段は、
前記連動制御データを作成する際に、前記連動動作を規定する前記連動元を入力設定するための連動元入力設定手段と、前記連動動作を規定する前記連動先を入力設定するための連動先入力設定手段と、を備えていることを特徴とする請求項１又は２記載の入出管理システム。
【請求項４】
前記連動制御データ作成手段は、少なくとも、前記端末機器及び前記入出管理制御手段に関する端末情報が格納された端末情報記憶手段を備え、
前記連動制御データを作成する際に、前記端末情報記憶手段に格納された前記端末情報を前記連動元入力設定手段及び前記連動先入力設定手段に参照表示し、該参照表示された前記端末情報から、前記連動元及び前記連動先を選択して入力設定することを特徴とする請求項３記載の入出管理システム。
【請求項５】
前記連動制御データ作成手段は、少なくとも、前記基本単位となる前記連動情報や前記連動情報相互の前記論理演算処理を規定する論理情報が格納された連動情報記憶手段を備え、
前記連動制御データを作成する際に、前記連動情報記憶手段に格納された前記連動情報及び前記論理情報を、前記連動元入力設定手段及び前記連動先入力設定手段に参照表示し、該参照表示された前記連動情報及び前記論理情報から、前記連動元及び前記連動先を選択して入力設定することを特徴とする請求項３又は４記載の入出管理システム。
【請求項６】
前記連動制御データ作成手段は、前記連動制御データを作成する際に、新たに入力設定された前記連動元及び前記連動先に基づく前記連動情報を前記基本単位として、前記連動情報記憶手段に格納することを特徴とする請求項５記載の入出管理システム。
【請求項７】
前記入出管理制御手段は、前記連動動作を実行可能な形式で、前記連動制御データを格納する制御記憶手段を備え、
前記連動制御データ作成手段から所定の伝送線を介して、前記制御記憶手段に伝送、格納された前記連動制御データに基づいて、前記連動動作を実行制御することを特徴とする請求項１乃至６のいずれかに記載の入出管理システム。
【請求項８】
施設又は部屋の入出状況を検出する複数の端末機器と、前記複数の端末機器からなる一の端末機器群が接続された一の入出管理制御手段と、を備えた入出管理システムの制御方法において、
特定の一の前記端末機器を連動元として連動情報データベースに設定登録する手順と、
他の前記端末機器を連動先として連動情報データベースに設定登録する手順と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の連動動作を実行制御するための連動制御データを作成する手順と、
を含むことを特徴とする入出管理システムの制御方法。
【請求項９】
少なくとも、各施設又は部屋に設けられ、該各施設又は部屋の入出状況を検出する一又は複数の端末機器と、前記一又は複数の端末機器からなる複数の端末機器群の各々に、個別に接続された複数の入出管理制御手段と、を備えた入出管理システムの制御方法において、
特定の一の前記端末機器又は前記入出管理制御手段を連動元として連動情報データベースに設定登録する手順と、
他の前記端末機器又は前記入出管理制御手段を連動先として連動情報データベースに設定登録する手順と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の連動動作を実行制御するための連動制御データを作成する手順と、
を含むことを特徴とする入出管理システムの制御方法。
【請求項１０】
前記連動元及び前記連動先を設定登録する手順は、各々予め表示項目が規定された入力設定手段を介して、入力設定されることを特徴とする請求項８又は９記載の入出管理システムの制御方法。
【請求項１１】
前記連動元及び前記連動先を設定登録する手順は、予め所定の記憶手段に格納された前記端末機器及び前記入出管理制御手段に関する端末情報を前記入力設定手段に参照表示し、該参照表示された前記端末情報から、前記連動元及び前記連動先を選択して入力設定することを特徴とする請求項１０記載の入出管理システムの制御方法。
【請求項１２】
前記連動元及び前記連動先を設定登録する手順は、予め所定の記憶手段に格納された前記基本単位となる前記連動情報や前記連動情報相互の前記論理演算処理を規定する論理情報を、前記入力設定手段に参照表示し、該参照表示された前記連動情報及び前記論理情報から、前記連動元及び前記連動先を選択して入力設定することを特徴とする請求項１０又は１１記載の入出管理システムの制御方法。
【請求項１３】
前記入出管理システムの制御方法は、前記連動制御データを、所定の伝送線を介して、前記入出管理制御手段に伝送する手順を含むことを特徴とする請求項８乃至１２のいずれかに記載の入出管理システムの制御方法。
【請求項１４】
施設又は部屋の入出状況を検出する複数の端末機器と、前記複数の端末機器からなる一の端末機器群が接続された一の入出管理制御手段と、を備えた入出管理システム上で実行可能なプログラムであって、
前記端末機器相互の任意の連動動作を規定する連動元を入力設定するための連動元入力設定手段を表示する処理と、
前記連動元入力設定手段を介して入力設定される、特定の一の前記端末機器を連動元として連動情報データベースに設定登録する処理と、
前記連動動作を規定する前記連動先を入力設定するための連動先入力設定手段を表示する処理と、
前記連動先入力設定手段を介して入力設定される、他の前記端末機器を連動先として連動情報データベースに設定登録する処理と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の前記連動動作を実行制御するための連動制御データを作成する処理と、
を含む入出管理システムの連動制御データの作成手順を実行する制御プログラム。
【請求項１５】
少なくとも、各施設又は部屋に設けられ、該各施設又は部屋の入出状況を検出する一又は複数の端末機器と、前記一又は複数の端末機器からなる複数の端末機器群の各々に、個別に接続された複数の入出管理制御手段と、を備えた入出管理システム上で実行可能なプログラムであって、
前記端末機器相互又は前記入出管理制御手段相互の任意の連動動作を規定する連動元を入力設定するための連動元入力設定手段を表示する処理と、
前記連動元入力設定手段を介して入力設定される、特定の一の前記端末機器又は前記入出管理制御手段を連動元として連動情報データベースに設定登録する処理と、
前記連動動作を規定する前記連動先を入力設定するための連動先入力設定手段を表示する処理と、
前記連動先入力設定手段を介して入力設定される、他の前記端末機器又は前記入出管理制御手段を連動先として連動情報データベースに設定登録する処理と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の前記連動動作を実行制御するための連動制御データを作成する処理と、
を含む入出管理システムの連動制御データの作成手順を実行する制御プログラム。
【請求項１６】
前記連動元及び前記連動先を設定登録する処理は、予め所定の記憶手段に格納された前記端末機器及び前記入出管理制御手段に関する端末情報、又は、前記基本単位となる前記連動情報や前記連動情報相互の前記論理演算処理を規定する論理情報を、前記連動元入力設定手段又は前記連動先入力設定手段に参照表示し、該参照表示された前記端末情報、又は、前記連動情報及び前記論理情報から、前記連動元及び前記連動先を選択して入力設定することを特徴とする請求項１４又は１５記載の入出管理システムの制御プログラム。
【請求項１７】
施設又は部屋の入出状況を検出する複数の端末機器のうち、特定の一の前記端末機器を連動元とし、他の前記端末機器を連動先とする連動情報を基本単位として、該基本単位となる連動情報を複数設定する手順と、
前記基本単位となる複数の前記連動情報のうち、異なる複数の前記連動情報を論理演算処理の論理入力及び論理出力に割り当てて、前記論理演算処理に従った連動情報群を構成する手順と、
前記基本単位となる前記連動情報及び前記論理演算処理に従った前記連動情報群から、又は、前記論理演算処理に従った複数の異なる前記連動情報群から、前記論理演算に従った前記連動情報群をさらに構成する手順と、
を含むことを特徴とする連動情報の設定方法。
【発明の詳細な説明】
【０００１】
【発明の属する技術分野】
本発明は、入出管理システムに関し、特に、特定の施設や部屋等の利用状況や人の入出状況等を、監視センターにおいて集中的に把握、管理する入出管理システム及びその制御方法並びに制御プログラム、連動情報の設定方法に関する。
【０００２】
【従来の技術】
従来、ビルやオフィス、研究所等の施設、会議室や特定のセクション等（以下、「施設又は部屋」と略記する）の利用状況や入出状況を、監視センター等に設置されたコントロール装置により管理する入出管理システムが知られている。
入出管理システムは、特定の施設又は部屋に入退出する際に、例えば、ＩＤカードに記憶された識別情報を読み取ってカード所有者を認識し、入退出を許可するか否かを判断して扉に設けられた電気錠の解錠／施錠を制御するとともに、該入退出の情報を収集することにより、カード所有者の所在（居場所）や施設又は部屋の利用状況等を監視センターのコントロール装置により一元的に管理するものである。
【０００３】
例えば、特開平９−２４５２７９号公報等には、複数のカードリーダ、キーパッド及び電気錠毎に、個別の入出管理制御盤が設けられ、各入出管理制御盤が伝送インターフェースユニットを介して監視センターに設置されたホストコンピュータに接続された構成を有する入出管理システム（アクセスコントロールシステム）が記載されている。
【０００４】
このような入出管理システムにおいては、カードリーダにより読み取られた識別情報やキーパッドから入力された暗証番号に基づいてカード所有者を認識するとともに、予め登録された入室許可情報と照合処理し、その照合結果に基づいて電気錠の解錠動作を制御する一連の動作を、各入出管理制御盤毎に実行する分散処理の手法が採用されている。
【０００５】
ここで、各入出管理制御盤毎に実行される制御動作は、各入出管理制御盤に内蔵されたＲＡＭ等のメモリに記憶された、制御プログラム及び入室許可情報等に基づいて行われる。この制御プログラム及び入室許可情報は、監視センターに設置されたホストコンピュータにより適宜更新されて、伝送インターフェースユニットを介して伝送され、各入出管理制御盤のメモリにダウンロードされる。
【０００６】
【発明が解決しようとする課題】
しかしながら、上述したような従来の入出管理システムにおいては、図１９に示すように、基本的に、各入出管理制御盤４０毎に、１入力イベント（例えば、カードリーダ２０によるＩＤカードＣＤの“有効”情報）に対して、１出力イベント（例えば、電気錠１０の解錠制御）を発生させる「１入力対１出力」の連動動作を実行するように構成されていたため、次に示すような問題を有していた。
【０００７】
すなわち、入出管理システムが適用される施設又は部屋の用途や重要度、顧客の要望等に応じて、設置される端末機器の種類や個数等が異なるとともに、端末機器相互、さらには、入出管理システム全体における連動動作の実行内容も異なる。また、施設又は部屋等の増改築に伴い、連動動作の実行内容の追加や変更等が発生する場合がある。
【０００８】
このような入出管理システムが適用される施設又は部屋毎に多岐にわたる要望事項に対して、従来技術においては、例えば、複数の入力イベントに対して、複数の出力イベントを発生させる「ｍ入力対ｎ出力（ｍ、ｎは正の整数）」の連動動作を実行させる場合（具体的には、カードリーダによるＩＤカードの“有効”情報に対して、電気錠の解錠制御及び防犯センサの警戒解除等を行う場合）、入出管理制御盤内における端末機器の端子接続（結線状態）を追加、変更する等のハードウェア的な作業が必要になったり、入出管理制御盤等の仕様によっては、所望の連動動作が実現不可能な場合があり、汎用性に劣るという問題を有していた。
【０００９】
また、仮に、ハードウェア的に「ｍ入力対ｎ出力（ｍ、ｎは正の整数）」の連動動作の実行が可能な場合であっても、当該施設又は部屋にのみ適用される複雑かつ大規模な連動動作を実行するための制御プログラムを、端末機器や入出管理制御盤に関する種類や設置個数、接続状態等の膨大な量のデバイス情報を確認しながら、実質的に人手により作成する作業は、極めて煩雑なうえ当該システムを構築するために長時間を要するという問題を有していた。このような問題は、施設又は部屋の増改築に伴い、端末機器や入出管理制御盤の増減や、連動動作の実行内容の追加や変更等が発生した場合であっても同様であった。
【００１０】
そこで、本発明は、このような問題点に鑑み、施設又は部屋に設けられる端末機器の種類や個数、また、施設又は部屋の用途や重要度、顧客の要望等に応じて、施設又は部屋に設けられる端末機器相互、さらには、システム全体における所望の連動機能を、簡易かつ迅速に構築することができる入出管理システム及びその制御方法並びにその制御プログラム、連動情報の設定方法を提供することを目的とする。
【００１１】
【課題を解決するための手段】
請求項１記載の発明に係る入出管理システムは、
施設又は部屋の入出状況を検出する複数の端末機器と、
前記複数の端末機器からなる一の端末機器群が接続された一の入出管理制御手段と、
特定の一の前記端末機器を連動元とし、他の前記端末機器を連動先とする連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の連動動作を実行制御するための連動制御データを作成する連動制御データ作成手段と、
を有することを特徴としている。
また、請求項２記載の発明に係る入出管理システムは、
少なくとも、各施設又は部屋に設けられ、該各施設又は部屋の入出状況を検出する一又は複数の端末機器と、
前記一又は複数の端末機器からなる複数の端末機器群の各々に、個別に接続された複数の入出管理制御手段と、
特定の一の前記端末機器又は前記入出管理制御手段を連動元とし、他の前記端末機器又は前記入出管理制御手段を連動先とする連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の連動動作を実行制御するための連動制御データを作成する連動制御データ作成手段と、
を有することを特徴としている。
【００１２】
この構成によれば、連動制御データ作成手段により１対１又は複数の端末機器相互又は入出管理制御手段相互の連動動作を制御する基本単位の連動情報を組み合わせて、多重的あるいは階層的に構成された連動情報群からなる連動制御データを作成することができるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。
【００１３】
したがって、施設又は部屋に設けられる端末機器の種類や個数、また、施設又は部屋の用途や重要度、顧客の要望等に応じて、さらには、施設又は部屋の増改築等に伴う端末機器の追加や変更等に対して、端末機器相互のみならず、システム全体においても所望の連動機能を汎用的に構築することができる入出管理システムを提供することができる。
【００１４】
請求項３記載の発明に係る入出管理システムは、上記入出管理システムにおいて、前記連動制御データ作成手段は、前記連動制御データを作成する際に、前記連動動作を規定する前記連動元を入力設定するための連動元入力設定手段と、前記連動動作を規定する前記連動先を入力設定するための連動先入力設定手段と、を備えていることを特徴としている。
【００１５】
この構成によれば、予め表示形式が定められた連動元及び連動先入力設定手段を介して、例えば、モニター画面上で連動元及び連動先となる端末機器等に関する情報を対話式で入力設定することができるので、基本単位となる連動情報及び所望の連動動作を実行制御するための連動制御データを、簡易な操作で作成することができる。
【００１６】
請求項４記載の発明に係る入出管理システムは、上記入出管理システムにおいて、前記連動制御データ作成手段は、少なくとも、前記端末機器及び前記入出管理制御手段に関する端末情報が格納された端末情報記憶手段を備え、前記連動制御データを作成する際に、前記端末情報記憶手段に格納された前記端末情報を前記連動元入力設定手段及び前記連動先入力設定手段に参照表示し、該参照表示された前記端末情報から、前記連動元及び前記連動先を選択して入力設定することを特徴としている。
【００１７】
この構成によれば、端末機器及び入出管理制御手段に関する端末情報が予め端末情報記憶手段に格納され、上記連動元入力設定手段及び連動先入力設定手段を介して、連動元及び連動先となる端末機器等に関する情報を入力設定する際に、端末情報記憶手段に格納された端末情報を参照表示させて、任意の連動元及び連動先を選択して入力設定することができるので、基本単位となる連動情報を、簡易な操作で迅速かつ的確に作成することができる。
【００１８】
また、請求項５記載の発明に係る入出管理システムは、上記入出管理システムにおいて、前記連動制御データ作成手段は、少なくとも、前記基本単位となる前記連動情報や前記連動情報相互の前記論理演算処理を規定する論理情報が格納された連動情報記憶手段を備え、前記連動制御データを作成する際に、前記連動情報記憶手段に格納された前記連動情報及び前記論理情報を、前記連動元入力設定手段及び前記連動先入力設定手段に参照表示し、該参照表示された前記連動情報及び前記論理情報から、前記連動元及び前記連動先を選択して入力設定することを特徴としている。
【００１９】
この構成によれば、上記基本単位となる連動情報や連動情報相互の論理演算的な組み合わせを規定する論理情報が連動情報記憶手段に格納され、上記連動元入力設定手段及び連動先入力設定手段を介して、複数の連動情報の論理演算的な組み合わせを入力設定する際に、連動情報記憶手段に格納された連動情報及び論理情報を参照表示させて、任意の連動元及び連動先、あるいは、論理的な組み合わせを選択して入力設定することができるので、基本単位となる連動情報及び所望の連動動作を実行制御するための連動制御データを、簡易な操作で迅速かつ的確に作成することができる。
【００２０】
また、請求項６記載の発明に係る入出管理システムは、上記入出管理システムにおいて、前記連動制御データ作成手段は、前記連動制御データを作成する際に、新たに入力設定された前記連動元及び前記連動先に基づく前記連動情報を前記基本単位として、前記連動情報記憶手段に格納することを特徴としている。
【００２１】
この構成によれば、連動元入力設定手段及び連動先入力設定手段を介して新たに入力設定された連動情報を、基本単位として連動情報記憶手段に格納することができるので、次回の連動制御データの作成の際に当該連動情報を参照表示させることにより、簡易な操作で連動元又は連動先として選択して入力設定することができ、連動制御データの作成を迅速かつ的確に行うことができる。
【００２２】
さらに、請求項７記載の発明に係る入出管理システムは、上記入出管理システムにおいて、前記入出管理制御手段は、前記連動動作を実行可能な形式で、前記連動制御データを格納する制御記憶手段を備え、前記連動制御データ作成手段から所定の伝送線を介して、前記制御記憶手段に伝送、格納された前記連動制御データに基づいて、前記連動動作を実行制御することを特徴としている。
【００２３】
この構成によれば、連動データ作成手段により作成された連動制御データが、伝送線を介して、各入出管理制御手段において当該連動動作が実行可能な形式で制御記憶手段にダウンロードし、該連動制御データに基づいて連動動作が実行制御されるので、監視センター等に設置された連動データ作成手段により、入出管理システム全体の連動制御データを適宜更新してダウンロードすることにより、簡易なソフトウェア的な作業で、端末機器相互又は入出管理制御手段相互の所望の連動動作を迅速かつ確実に実現することができる。したがって、施設又は部屋に設けられる端末機器の種類や個数、また、施設又は部屋の用途や重要度、顧客の要望等に応じて、さらには、施設又は部屋の増改築等に伴う端末機器の追加や変更等に対しても、監視センター等に設置された連動データ作成手段により、所望の連動機能を汎用的に構築することができる入出管理システムを提供することができる。
【００２４】
請求項８記載の発明に係る入出管理システムの制御方法は、
施設又は部屋の入出状況を検出する複数の端末機器と、前記複数の端末機器からなる一の端末機器群が接続された一の入出管理制御手段と、を備えた入出管理システムの制御方法において、
特定の一の前記端末機器を連動元として連動情報データベースに設定登録する手順と、
他の前記端末機器を連動先として連動情報データベースに設定登録する手順と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の連動動作を実行制御するための連動制御データを作成する手順と、
を含むことを特徴としている。
また、請求項９記載の発明に係る入出管理システムの制御方法は、
少なくとも、各施設又は部屋に設けられ、該各施設又は部屋の入出状況を検出する一又は複数の端末機器と、前記一又は複数の端末機器からなる複数の端末機器群の各々に、個別に接続された複数の入出管理制御手段と、を備えた入出管理システムの制御方法において、
特定の一の前記端末機器又は前記入出管理制御手段を連動元として連動情報データベースに設定登録する手順と、
他の前記端末機器又は前記入出管理制御手段を連動先として連動情報データベースに設定登録する手順と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の連動動作を実行制御するための連動制御データを作成する手順と、
を含むことを特徴としている。
【００２５】
この制御方法によれば、連動元及び連動先となる端末機器又は入出管理制御手段を設定登録する入力設定作業のみで、端末機器相互又は入出管理制御手段相互の任意の連動動作を実行制御するための連動情報及び連動制御データが作成されて連動情報データベースに登録されるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。
【００２６】
したがって、施設又は部屋に設けられる端末機器の種類や個数、また、施設又は部屋の用途や重要度、顧客の要望等に応じて、さらには、施設又は部屋の増改築等に伴う端末機器の追加や変更等に対して、端末機器相互のみならず、システム全体においても所望の連動機能を汎用的に構築することができる入出管理システムを提供することができる。
【００２７】
請求項１０記載の発明に係る入出管理システムの制御方法は、上記入出管理システムの制御方法において、前記連動元及び前記連動先を設定登録する手順は、各々予め表示項目が規定された入力設定手段を介して、入力設定されることを特徴としている。
この制御方法によれば、予め表示形式が定められた連動元及び連動先入力設定手段を介して、例えば、モニター画面上で連動元及び連動先となる端末機器等に関する情報を対話式で入力設定することができるので、基本単位となる連動情報及び所望の連動動作を実行制御するための連動制御データを、簡易な入力操作で作成することができる。
【００２８】
また、請求項１１記載の発明に係る入出管理システムの制御方法は、上記入出管理システムの制御方法において、前記連動元及び前記連動先を設定登録する手順は、予め所定の記憶手段に格納された前記端末機器及び前記入出管理制御手段に関する端末情報を前記入力設定手段に参照表示し、該参照表示された前記端末情報から、前記連動元及び前記連動先を選択して入力設定することを特徴としている。
【００２９】
この制御方法によれば、連動元及び連動先入力設定手段を介して、連動元及び連動先となる端末機器等に関する情報を入力設定する際に、所定の記憶手段に格納された端末情報を参照表示させて、任意の連動元及び連動先を選択して入力設定することができるので、基本単位となる連動情報を、簡易な入力操作で迅速かつ的確に作成することができる。
【００３０】
また、請求項１２記載の発明に係る入出管理システムの制御方法は、上記入出管理システムの制御方法において、前記連動元及び前記連動先を設定登録する手順は、予め所定の記憶手段に格納された前記基本単位となる前記連動情報や前記連動情報相互の前記論理演算処理を規定する論理情報を、前記入力設定手段に参照表示し、該参照表示された前記連動情報及び前記論理情報から、前記連動元及び前記連動先を選択して入力設定することを特徴としている。
【００３１】
この制御方法によれば、連動元及び連動先入力設定手段を介して、複数の連動情報の論理演算的な組み合わせを入力設定する際に、所定の記憶手段に格納された連動情報及び論理情報を参照表示させて、任意の連動元及び連動先、あるいは、論理的な組み合わせを選択して入力設定することができるので、基本単位となる連動情報及び所望の連動動作を実行制御するための連動制御データを、簡易な入力操作で迅速かつ的確に作成することができる。
【００３２】
さらに、請求項１３記載の発明に係る入出管理システムの制御方法は、上記入出管理システムの制御方法において、前記連動制御データを、所定の伝送線を介して、前記入出管理制御手段に伝送する手順を含むことを特徴としている。
この制御方法によれば、上記手順によって作成された連動制御データが、所定の伝送線を介して、各入出管理制御手段において当該連動動作が実行可能な形式で制御記憶手段にダウンロードされ、該連動制御データに基づいて連動動作が実行制御されるので、監視センター等において入出管理システム全体の連動制御データを作成し、適宜更新してダウンロードすることにより、簡易なソフトウェア的な作業で、入出管理システム全体の端末機器相互又は入出管理制御手段相互の所望の連動動作を迅速かつ確実に実現することができる。
【００３３】
そして、請求項１４記載の発明に係る入出管理システムの制御プログラムは、
施設又は部屋の入出状況を検出する複数の端末機器と、前記複数の端末機器からなる一の端末機器群が接続された一の入出管理制御手段と、を備えた入出管理システム上で実行可能なプログラムであって、
前記端末機器相互の任意の連動動作を規定する連動元を入力設定するための連動元入力設定手段を表示する処理と、
前記連動元入力設定手段を介して入力設定される、特定の一の前記端末機器を連動元として連動情報データベースに設定登録する処理と、
前記連動動作を規定する前記連動先を入力設定するための連動先入力設定手段を表示する処理と、
前記連動先入力設定手段を介して入力設定される、他の前記端末機器を連動先として連動情報データベースに設定登録する処理と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互を連動元及び連動先とするｍ入力対ｎ出力（ｍ、ｎは正の整数）の前記連動動作を実行制御するための連動制御データを作成する処理と、
を含む入出管理システムの連動制御データの作成手順を実行することを特徴としている。
また、請求項１５記載の発明に係る入出管理システムの制御プログラムは、
少なくとも、各施設又は部屋に設けられ、該各施設又は部屋の入出状況を検出する一又は複数の端末機器と、前記一又は複数の端末機器からなる複数の端末機器群の各々に、個別に接続された複数の入出管理制御手段と、を備えた入出管理システム上で実行可能なプログラムであって、
前記端末機器相互又は前記入出管理制御手段相互の任意の連動動作を規定する連動元を入力設定するための連動元入力設定手段を表示する処理と、
前記連動元入力設定手段を介して入力設定される、特定の一の前記端末機器又は前記入出管理制御手段を連動元として連動情報データベースに設定登録する処理と、
前記連動動作を規定する前記連動先を入力設定するための連動先入力設定手段を表示する処理と、
前記連動先入力設定手段を介して入力設定される、他の前記端末機器又は前記入出管理制御手段を連動先として連動情報データベースに設定登録する処理と、
前記設定登録された前記連動元及び前記連動先に基づく連動情報を基本単位として、該連動情報を複数設定し、該各連動情報を論理演算処理の論理入力又は論理出力に割り当てて、前記各連動情報を多重的あるいは階層的に構成し、前記端末機器相互又は前記入出管理制御手段相互を連動元及び連動先とするｍ入力対ｎ出力（ｍ、ｎは正の整数）の前記連動動作を実行制御するための連動制御データを作成する処理と、
を含む入出管理システムの連動制御データの作成手順を実行することを特徴としている。
【００３４】
この制御プログラムによれば、予め表示形式が定められた連動元及び連動先入力設定手段を介して、モニター画面上で連動元及び連動先となる端末機器又は入出管理制御手段等に関する情報を対話式で入力設定する作業のみで、端末機器相互又は入出管理制御手段相互の任意の連動動作を実行制御するための連動情報及び所望の連動動作を実行制御するための連動制御データが自動的に作成されて連動情報データベースに登録されるので、各々複数の端末機器又は入出管理制御手段を連動元及び連動先とするｍ入力対ｎ出力（ｍ、ｎは正の整数）の連動動作を、簡易な入力操作で迅速かつ確実に実現することができる。
【００３５】
したがって、施設又は部屋に設けられる端末機器の種類や個数、また、施設又は部屋の用途や重要度、顧客の要望等に応じて、さらには、施設又は部屋の増改築等に伴う端末機器の追加や変更等に対して、端末機器相互のみならず、システム全体においても所望の連動機能を汎用的に構築することができる入出管理システムを提供することができる。
【００３６】
また、請求項１６記載の発明に係る入出管理システムの制御プログラムは、上記入出管理システムの制御プログラムにおいて、前記連動元及び前記連動先を設定登録する処理は、予め所定の記憶手段に格納された前記端末機器及び前記入出管理制御手段に関する端末情報、又は、前記基本単位となる前記連動情報や前記連動情報相互の前記論理演算処理を規定する論理情報を、前記連動元入力設定手段又は前記連動先入力設定手段に参照表示し、該参照表示された前記端末情報、又は、前記連動情報及び前記論理情報から、前記連動元及び前記連動先を選択して入力設定することを特徴としている。
【００３７】
この制御プログラムによれば、連動元及び連動先入力設定手段を介して、連動元及び連動先となる端末機器等に関する情報を入力設定する際、又は、複数の連動情報の論理演算的な組み合わせを入力設定する際に、所定の記憶手段に格納された端末情報や、連動情報、論理情報を参照表示させて、任意の連動元及び連動先、あるいは、論理的な組み合わせを選択して入力設定することができるので、基本単位となる連動情報及び所望の連動動作を実行制御するための連動制御データを、簡易な入力操作で迅速かつ的確に自動作成することができる。
さらに、請求項１７記載の発明に係る連動情報の設定方法は、
施設又は部屋の入出状況を検出する複数の端末機器のうち、特定の一の前記端末機器を連動元とし、他の前記端末機器を連動先とする連動情報を基本単位として、該基本単位となる連動情報を複数設定する手順と、
前記基本単位となる複数の前記連動情報のうち、異なる複数の前記連動情報を論理演算処理の論理入力及び論理出力に割り当てて、前記論理演算処理に従った連動情報群を構成する手順と、
前記基本単位となる前記連動情報及び前記論理演算処理に従った前記連動情報群から、又は、前記論理演算処理に従った複数の異なる前記連動情報群から、前記論理演算に従った前記連動情報群をさらに構成する手順と、
を含むことを特徴としている。
この設定方法によれば、予め登録された連動元及び連動先に基づいて規定される連動情報を基本単位として、該連動情報が論理演算的に組み合わされることにより、多重的あるいは階層的に構成された連動情報、又は、該連動情報群からなる連動制御データを作成することができるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。
【００３８】
【発明の実施の形態】
以下、本発明の実施の形態を、図面を参照しながら説明する。
図１は、本発明に係る入出管理システムの一実施形態を示す概略構成図である。なお、本発明においては、入出管理の対象となる「空間」を、便宜的に「施設又は部屋」と総称するが、その対象を何ら限定するものではなく、一般的な建造物単体（ビル、ホール等）や建造物群、あるいは、その一部の区画された領域（オフィス、研究室、会議室等）を意味するものとする。
【００３９】
図１に示すように、本実施形態に係る入出管理システムは、概略、端末機器を構成する複数の電気錠１０ａ、１０ｂ、１０ｃ、・・・と、カードリーダ２０ａ、２０ｂ、２０ｃ、・・・と、防犯センサ３０と、複数の電気錠１０ａ、１０ｂ、１０ｃ、・・・、カードリーダ２０ａ、２０ｂ、２０ｃ、・・・、防犯センサ３０からなる端末機器群毎に設けられ、入出管理制御手段を構成する入出管理制御盤４０Ａ、４０Ｂ、４０Ｃ、・・・と、監視センターＣＥＮに設置され、連動制御データ作成手段を構成するコントロール装置５０と、入出管理制御盤４０Ａ、４０Ｂ、４０Ｃ、・・・とコントロール装置５０との情報の送受信を制御する伝送インターフェースユニット（以下、「伝送Ｉ／Ｆユニット」と略記する）６０と、を有して構成されている。なお、伝送Ｉ／Ｆユニット６０と入出管理制御盤４０との接続は、電気信号線、光ケーブル等、各種の信号を送信できるものであればよく、その他、無線により伝送を行うものであってもよい。
【００４０】
以下、各構成について具体的に説明する。
電気錠１０ａ、１０ｂ、１０ｃ、・・・は、入出管理の対象となる施設又は部屋等の出入口の扉ＤＲに設けられ、後述する入出管理制御盤４０Ａ、４０Ｂ、４０Ｃ、・・・からの制御信号により、当該扉ＤＲを施錠又は解錠するとともに、当該扉ＤＲの開閉状態を検出するものである。
【００４１】
カードリーダ２０ａ、２０ｂ、２０ｃ、・・・は、電気錠１０ａ、１０ｂ、１０ｃ、・・・が設けられた各扉ＤＲの近傍に設置され、図示を省略したＩＤカードに記憶された所有者の識別情報を読み取る。ここで、ＩＤカードとカードリーダによる識別方式としては、磁気ストライプ式、非接触式、テンキー併用式等、種々の方式を採用することができる。また、カードリーダ２０ａ、２０ｂ、２０ｃ、・・・を入出管理の対象となる施設又は部屋の外側にのみ設けることにより、入室管理のみを行う場合や、施設又は部屋の内外にそれぞれ１台ずつ設置することにより、入退室を管理する場合等、種々の形態を採用することができる。なお、入退出者の認識を行う端末機器としては、カードリーダー以外に、指紋を照合、識別する装置や網膜を判定する装置など、各種の認識装置が適用される。
【００４２】
防犯センサ３０は、施設又は部屋の内部で発生した異常状態、例えば、不審者の侵入や窓ガラスの破壊等を検知する。防犯センサによる異常状態の検出方式としては、赤外線ビームの遮断を検出する方式や、人等の生体から発せられる熱線を検出する方式、窓ガラスへの振動や衝撃等を検出する方式等、種々の方式を採用することができる。
【００４３】
図２は、本実施形態に係る入出管理システムに適用可能な入出管理制御盤の一構成例を示すブロック図である。
図２に示すように、各入出管理制御盤４０（４０Ａ、４０Ｂ、４０Ｃ、・・・）は、一又は複数の電気錠１０、カードリーダ２０及び防犯センサ３０等の１グループの端末機器群毎に個別に設けられ、概略、連動動作制御部４１、電気錠制御部４２及び通信制御部４３を有して構成されている。
【００４４】
連動動作制御部４１は、例えば、カードリーダ２０により取得されたＩＤカードの識別情報と、コントロール装置５０に予め登録され、後述する伝送Ｉ／Ｆユニット６０を介して伝送された入退室可能ＩＤ（認証データ）とを照合、判別して、電気錠制御部に電気錠の施錠又は解錠を制御する制御信号を出力する処理や、防犯センサ３０から受信する検出信号に基づいて、所定の施設又は部屋における異常状態の発生を通知するための通知信号を生成して、監視センターＣＥＮに送信する処理等の連動動作を実行する。
【００４５】
ここで、本実施形態において連動動作とは、上述したカードリーダや防犯センサ等の端末機器に限らず、同一の監視センターのコントロール装置に接続された他の入出管理制御盤、あるいは、後述する論理演算要素（ＡＮＤ、ＯＲ等のソフト論理）等のうち、１又は複数を入力イベント（連動元）、又は、出力イベント（連動先）として設定することにより、連動元の動作状態に応じて、連動先の動作状態が一義的に設定される関係をいう。
また、電気錠制御部４２は、連動動作制御部４１における識別情報と入退室可能ＩＤとの照合、判別結果に基づいて、扉ＤＲに設けられた電気錠１０の施錠又は解錠制御を行うとともに、電気錠１０からの該扉ＤＲの開閉状態を通知するための開閉検出信号を受信する。
【００４６】
このような連動動作制御部４１において実行される連動動作は、連動動作制御部４１に内蔵又は付設されたＲＡＭ等のメモリ４１Ｍに記憶された連動制御データ（制御プログラムや認証データ等）に基づいて行われる。この連動制御データは、後述するように、監視センターＣＥＮに設置されたコントロール装置５０により適宜更新されて、伝送Ｉ／Ｆユニット６０を介して各入出管理制御盤４０に伝送され、通信制御部４３により受信されて、連動動作制御部４１内のメモリ４１Ｍにダウンロードされる。
【００４７】
通信制御部４３は、連動動作制御部４１及び電気錠制御部４２から取得される当該施設又は部屋への入出状況に関する情報をコントロール装置５０に送信するとともに、コントロール装置５０により作成された連動制御データや新たに登録された入退室可能ＩＤ等の認証データを、伝送Ｉ／Ｆユニット６０を介して受信する制御を行う。
【００４８】
図３は、本実施形態に係る入出管理システムに適用可能なコントロール装置の一構成例を示すブロック図である。
図１に示すように、コントロール装置５０は、大別して、監視センターＣＥＮに設置され、各入出管理制御盤４０Ａ、４０Ｂ、４０Ｃ、・・・から伝送される特定の施設又は部屋への入出状況に関する情報に基づいて、当該施設又は部屋の利用状況や特定の人物の所在等に関する入出管理情報を蓄積、管理する機能と、各入出管理制御盤４０Ａ、４０Ｂ、４０Ｃ、・・・における端末機器相互、あるいは、入出管理制御盤相互の連動動作を実行制御する連動制御データを作成して、各入出管理制御盤４０Ａ、４０Ｂ、４０Ｃ、・・・にダウンロードする機能を有している。
【００４９】
コントロール装置５０は、具体的には、図３に示すように、概略、入力インターフェース部５１と、デバイス情報設定制御部５２と、連動情報設定制御部５３と、ダウンロード制御部５４と、端末情報記憶手段を構成するデバイス情報データベース５５と、連動情報記憶手段を構成する連動情報データベース５６と、を有して構成されている。
【００５０】
入力インターフェース部５１は、例えば、モニター５１ａ、キーボード５１ｂ、マウス５１ｃ等のインターフェース機器から構成され、モニター５１ａに表示される連動元／連動先設定用ウィンドウ（詳しくは後述する）の各項目に対して、キーボード５１ｂやマウス５１ｃを操作することにより、連動動作を規定する連動元情報及び連動先情報を直接、あるいは、選択的に入力可能なように構成されている。なお、モニター５１ａには、上述した連動情報の入力設定に関連するウィンドウの他に、入出管理システムの本来の目的である、特定の施設又は部屋の利用状況や、特定の人物の所在等に関する入出管理情報が所定の形式で表示される。
【００５１】
デバイス情報設定制御部５２は、連動動作を実行制御するための連動制御データの作成に先立って、あるいは、必要に応じて適宜、モニター５１ａにデバイス情報設定用ウィンドウを表示して、入出管理の対象となっている施設又は部屋に設置された入出管理制御盤及び端末機器に関する各種のデバイス情報（デバイス種別やデバイスの識別番号、端末機器の場合は接続されている入出管理制御盤の識別情報等）が所定の形式で入力設定されるように制御するとともに、入力された上記デバイス情報を、デバイス情報データベース５５の所定の記憶領域に格納する制御を行う。
【００５２】
連動情報設定制御部５３は、連動制御データの作成作業時に、連動元／連動先設定用ウィンドウを表示させて、連動元又は連動先となる入出管理制御盤や端末機器の各種情報、連動情報の論理演算的組み合わせを規定する論理ゲートに関する情報等が所定の形式で入力設定されるように制御するとともに、入力された連動元情報及び連動先情報により構成される基本単位としての連動情報、及び、該連動情報が論理演算的に組み合わされて構成され、入出管理システム全体又は一部の連動動作を実行制御するための連動制御データを、連動情報データベース５６の所定の記憶領域に格納する制御を行う。連動元／連動先設定用ウィンドウの具体例については、後述する。
【００５３】
ダウンロード制御部５４は、入力インターフェース部５１を介して入力されるデバイス情報や連動制御データ等のダウンロードの指示に基づいて、デバイス情報データベースに格納されたデバイス情報や、連動情報データベースに格納された連動制御データのうち、ダウンロード先として設定された入出管理制御盤に対応したデバイス情報や連動制御データを抽出して、伝送Ｉ／Ｆユニット６０に対して、ダウンロード先を指定して当該デバイス情報や連動制御データの伝送を指示する制御を行う。ここで、ダウンロード制御部５４は、デバイス情報や連動制御データのみならず、例えば、比較的頻繁に変更登録が行われる会議室の入室許可情報（認証データ）等の入出管理システム本来の情報をダウンロードする動作を制御する機能も有している。
【００５４】
そして、伝送Ｉ／Ｆユニット６０は、コントロール装置５０と入出管理制御盤４０Ａ、４０Ｂ、４０Ｃ、・・・の間に設けられ、例えば、ポーリング・セレクティング伝送方式により各入出管理制御盤４０Ａ、４０Ｂ、４０Ｃ、・・・との間で伝送制御を行う。すなわち、上述した各入出管理制御盤４０には、固有のアドレスが付与されており、コントロール装置５０からのデバイス情報や連動制御データ、認証データ等の伝送（ダウンロード）は、このアドレスにより送信先を指定して行われる。
【００５５】
なお、本実施形態においては、デバイス情報データベース５５及び連動情報データベース５６が、コントロール装置５０の内部に備えられた構成、例えば、コントロール装置５０に内蔵されたハードディスク装置（ＨＤＤ）の一部の領域を上記データベースに割り当てた構成を示したが、本発明は、これに限定されるものではなく、コントロール装置５０とは別個に設けられたデータベース装置を備えるものであってもよい。
【００５６】
次に、本発明に係る入出管理システムに適用されるコントロール装置において、連動情報の入力設定用に表示される画面の具体例について、図面を参照して説明する。
図３に示したように、連動制御データの作成の際に、所望の連動動作を規定する連動元情報及び連動先情報の入力設定作業は、連動情報設定制御部５３によりモニター５１ａの画面上に画定された表示枠（連動元／連動先設定用ウィンドウ）内の各項目に所定の情報をキーボード５１ｂやマウス５１ｃにより入力することにより対話式に行う。ここで、コントロール装置５０は、入出管理システムの管理者（顧客等）やシステム提供者による種々の入出力操作の際に、良好なマン・マシン・インターフェースを実現するために、ＧＵＩ（グラフィカル・ユーザ・インターフェース）環境に対応した画面表示を適用することが好ましい。
【００５７】
図４は、本発明に係る入出管理システムに適用される連動元情報の設定用ウィンドウの一例を示す表示例であり、図５は、連動元情報の入力設定時に表示されるプルダウンメニューの一例を示す表示例である。
図４に示すように、連動元設定用ウィンドウは、例えば、連動元情報を特定する固有の情報（番号及び名称）を入力設定するための「識別番号」、「識別名称」、連動動作を実行制御する入出管理制御盤を特定する固有の情報（番号及び名称）を入力設定するための「制御盤」、連動動作の分類、種別を特定する情報（番号及び名称）を入力設定するための「連動種別」、連動元となる端末機器や入出管理制御盤、論理ゲート等を特定する固有の情報（番号及び名称）を入力設定するための「Index１」、連動動作を起動するための動作条件を特定する情報（番号及び名称）を入力設定するための「Index２」等の各表示項目が設けられている。
【００５８】
ここで、各表示項目への所望の情報の入力方法は、連動元を特定する各情報をキーボード等により直接文字入力する手法であってもよいし、図５に示すように、予めデバイス情報データベース５５に蓄積されたデバイス情報や連動情報データベース５６に蓄積された連動情報等の一覧を、当該表示項目の下方や上方等に隣接するようにプルダウンメニュー表示（参照表示）し、該一覧の中から所望の情報をマウス等により選択して入力する手法や、連動元設定用ウィンドウとは別の表示枠（ウィンドウ）でリスト表示（参照表示）し、所望の情報をマウス等により選択して入力する手法等であってもよい。
【００５９】
連動元設定用ウィンドウに設けられた表示項目において、入力設定が可能であって、上述したプルダウンメニュー表示やリスト表示等により一覧の参照表示が可能な連動元を特定する情報（「連動種別」、「デバイス・連動元種別（連動元となる端末機器等の種別；Index１）」、「制御内容・状態（起動条件・動作状態；Index２）」）の一例を図６に示す。
【００６０】
図６において、連動種別の「カードステータス連動」は、カードリーダ２０にカードを通したときに読み取られた情報に基づく入出管理制御盤４０での認証（照合）結果に関する連動条件項目であり、「電気錠制御連動」は、電気錠の状態を示す連動条件項目であり、「防犯連動」は、部屋内に設置された防犯センサ３０の監視状態や監視情報を示す連動条件項目である。
【００６１】
また、「ＡＮＤ連動」や「ＯＲ連動」は、後述するように、例えば、上記「カードステータス連動」などの各項目のうち、複数の連動元条件に基づいたＡＮＤ条件、ＯＲ条件の判断により、連動先制御をするための種別である。「在室連動」（無人連動）は、部屋に人が存在（在室）するか否かを判断し、該判断結果に基づいて、連動制御を行うときに使用する連動起動条件である。この場合、在／不在の判断は、例えば、扉内外にカードリーダを用意し、該カードリーダへのカードの挿入で人数をカウントして在室の有無を判断するものである。この在室連動は、例えば、部屋に人が不在の場合に、部屋内に設置された防犯センサ３０を警戒状態にするなどの制御を行うときに使用する。
【００６２】
また、「タイムコントロール連動」は、予め設定された時刻により、各種連動先を制御したい場合に使用する起動条件項目であって、例えば、所定の時刻になったら、防犯センサ３０を警戒状態にするなどの制御を行うときに使用する。「汎用接点」は、外部の端末機器の移報接点を連動の起動条件とするときに使用する。また、連動種別の「カードリーダ」は、カードリーダ２０に関する状態を連動の起動条件とするときに使用する。「他盤連動」は、複数の入出管理制御盤４０同士で連動制御を行うときに使用する連動起動条件である。例えば、ある起動条件が発生したときに、別の入出管理制御盤に接続された端末機器を連動制御する場合に使用する。
【００６３】
図７は、本発明に係る入出管理システムに適用される連動先情報の設定用ウィンドウの一例を示す表示例であり、図８は、連動先情報の入力設定時に表示されるプルダウンメニューの一例を示す表示例である。
図７に示すように、連動先設定用ウィンドウは、上述した連動元ウィンドウの下方に隣接して、両者が併存するように表示され、連動先情報を特定する固有の情報を入力設定するための「識別番号」、連動先となる端末機器や入出管理制御盤、論理ゲートの分類、種別を特定する情報（番号及び名称）を入力設定するための「デバイス名」、連動先となる端末機器や入出管理制御盤、論理ゲート等を特定する固有の情報（番号及び名称）を入力設定するための「デバイスＩＤ」、連動動作により制御される動作状態を特定する情報（番号及び名称）を入力設定するための「制御ＩＤ」等の各表示項目が設けられている。
【００６４】
ここで、上述した連動元情報の入力設定作業と同様に、各表示項目への所望の情報の入力方法は、連動先を特定する各情報をキーボード等により直接文字入力する手法であってもよいし、図８に示すように、予めデバイス情報データベース５５に蓄積されたデバイス情報や連動情報データベース５６に蓄積された連動情報等の一覧を、当該表示項目の下方や上方等に隣接するようにプルダウンメニュー表示（参照表示）し、該一覧の中から所望の情報をマウス等により選択して入力する手法等であってもよい。
【００６５】
連動先設定用ウィンドウに設けられた表示項目において、入力設定が可能であって、上述したプルダウンメニュー表示やリスト表示等により一覧の参照表示が可能な連動先を特定する情報（「デバイス・連動先種別（デバイス名）」、「デバイス識別名称（デバイスＩＤ）」、「制御内容・状態（制御ＩＤ）」）の一例を図９に示す。
【００６６】
図９において、デバイス識別名称の「カードリーダ」や「電気錠」等の台数は、コントロール装置５０において予め設定したデバイス情報に応じて任意に選択できる台数が変化する。また、「汎用接点」は、各種の他の端末機器に対して移報したい場合に使用する。例えば、空調機器を制御する場合に使用する。「タイムコントロール」は、予め設定された時刻による制御を変更する場合の項目である。また、「他盤連動」は、入出管理制御盤４０同士で伝送して連動制御を行う場合に使用する。他の入出管理制御盤を特定して他盤連動ＩＤを指定して、連動先情報を設定する。
【００６７】
なお、上述した連動元設定用ウィンドウ（図４）及び連動先設定用ウィンドウ（図７）においては、全ての表示項目に付設されたプルダウンボタン（▼）をマウス５１ｃにより指示してクリックすることにより、一覧をプルダウンメニュー表示することができ、該一覧から任意の情報を選択入力可能なように構成されている。また、プルダウンメニュー表示された一覧にはない新たな情報を入力設定する場合には、新規な連動元識別番号及び識別名称、又は、連動先識別番号をキーボード５１ｂ等から直接入力して、連動元や連動先を特定する情報を直接入力又はプルダウンメニュー表示された一覧から選択入力する。
【００６８】
また、図４や図７に示したプルダウンボタンは、連動元設定用ウィンドウの上方に位置するボタンから選択操作する構造になっており、先に（上で）設定したボタンの項目により、次の（下で）設定するボタンの選択項目が変化する。例えば、図４に示した連動種別において、カードステータス連動を選択すると、次のIndex１は、各種の機器の中からカードリーダの機器のみが表示されて、カードリーダのみが選択できる。また、Index２においても、図６に示した複数の条件項目のうちのカードステータス連動に関する起動条件の項目のみが表示され、カード操作に関する項目のみが選択できるようになる。これにより、連動設定が簡単にできるようにしている。
【００６９】
また、図４、図５及び図７、図８に示した連動元設定用ウィンドウ及び連動先設定用ウィンドウの表示形式及び表示項目は、一例を示すものにすぎず、本発明を何ら限定するものではない。また、図６及び図９に示した連動元情報及び連動先情報として入力設定可能な情報の一覧も、ごく一部の例を示すものにすぎず、本発明を何ら限定するものではない。したがって、本発明に係る入出管理システムに適用される端末機器や入出管理制御盤の機能、システム全体の連動動作の仕様等に応じて、各ウィンドウに設けられる表示項目や参照表示される一覧が適宜追加、変更されるものであることはいうまでもない。
【００７０】
次に、上述した構成を有する入出管理システムの制御方法について、図面を参照して説明する。
図１０は、本発明に係る入出管理システムに適用される連動情報設定処理の手順を示すフローチャートである。ここでは、上述した入出管理システムの構成（図１〜図３）を適宜参照しつつ説明する。
【００７１】
（ステップＳ１０１）
本実施形態に係る入出管理システムに適用される連動情報設定処理の手順は、図１０に示すように、まず、入出管理システムの管理者や提供者が、コントロール装置５０の入力インターフェース部５１を介して、デバイス情報の入力設定の要求を入力すると、デバイス情報設定制御部５２によりモニター５１ａにデバイス情報設定用ウィンドウが表示される。入出管理システムの管理者や提供者は、当該設定ウィンドウに設けられた所定の表示項目にしたがって、入出管理の対象となっている施設又は部屋に設置された入出管理制御盤及び端末機器に関する各種のデバイス情報（デバイス種別やデバイスの識別番号、端末機器の場合は接続されている入出管理制御盤の識別情報等）をキーボード５１ｂやマウス５１ｃ等を操作して入力設定する。
【００７２】
これにより、デバイス情報設定用ウィンドウを介して入力されたデバイス情報は、デバイス情報設定制御部５２によりデバイス情報データベース５５の所定の記憶領域に格納（登録）される。
なお、上述したデバイス情報データベース５５に登録される端末機器等のうち、例えば、カードリーダや指紋照合装置等のように、予め個人を特定するための認証データ（ＩＤカードの識別情報や指紋等）の登録が必要な場合には、上記ステップＳ１０１において、当該認証データがコントロール装置５０等に設定される。
【００７３】
（ステップＳ１０２）
次いで、入出管理システムの管理者や提供者が、コントロール装置５０の入力インターフェース部５１を介して、連動情報の入力設定の要求を入力すると、連動情報設定制御部５３によりモニター５１ａに、図４、図７に示したような連動元設定用ウィンドウ及び連動先設定用ウィンドウが表示される。入出管理システムの管理者や提供者は、当該設定ウィンドウに設けられた所定の表示項目（図４、図７及びその説明参照）にしたがって、連動元又は連動先となる端末機器や入出管理制御盤の各種情報、論理ゲート等を特定する情報（連動元情報、連動先情報）をキーボード５１ｂやマウス５１ｃ等を操作して入力設定する。
【００７４】
これにより、連動元設定用ウィンドウ及び連動先設定用ウィンドウを介して入力された連動元情報及び連動先情報により構成される基本単位としての連動情報、及び、該連動情報が論理演算的に組み合わされて構成され、入出管理システム全体又は一部の連動動作を実行制御するための連動制御データは、連動情報設定制御部５３により連動情報データベース５６の所定の記憶領域に格納（登録）される。なお、連動情報データベース５６への連動情報又は連動制御データの入力設定処理については、詳しく後述する。
【００７５】
ここで、上記連動元情報を入力設定する手法としては、上述したように、上記ステップＳ１０１において、デバイス情報データベース５５に登録されたデバイス情報や連動情報データベース５６に登録された既存の連動情報の一覧を参照表示して、該一覧の中から所望の情報を選択入力するものであってもよいし（図５、図８及びその説明参照）、キーボード５１ｂ等から当該情報を直接文字入力するものであってもよい。
【００７６】
（ステップＳ１０３）
次いで、入出管理システムの管理者や提供者が、コントロール装置５０の入力インターフェース部５１を介して、上記ステップＳ１０１及びＳ１０２において設定されたデバイス情報及び連動制御データ（基本単位の連動情報の場合もある）を各入出管理制御盤４０Ａ、４０Ｂ、４０Ｃ・・・にダウンロードする要求を入力すると、デバイス情報データベース５５及び連動情報データベース５６に格納されたデバイス情報及び連動制御データのうち、ダウンロード先として設定された入出管理制御盤４０Ａ、４０Ｂ、４０Ｃ・・・に対応したデバイス情報及び連動制御データを抽出して、伝送Ｉ／Ｆユニット６０を介して各入出管理制御盤４０Ａ、４０Ｂ、４０Ｃ・・・内に備えられたＲＡＭ等のメモリ４１Ｍにダウンロードする。
【００７７】
ここで、コントロール装置５０から各入出管理制御盤４０Ａ、４０Ｂ、４０Ｃ・・・へのデバイス情報や連動制御データのダウンロードの方法は、各入出管理制御盤４０Ａ、４０Ｂ、４０Ｃ・・・に対して、デバイス情報及び連動制御データの全てを一括してダウンロードするものであってもよいし、デバイス情報や連動制御データのうち、指定した項目に関する情報のみ選択的にダウンロードするものであってもよい。
【００７８】
なお、本実施形態においては、ステップＳ１０１においてデバイス情報データベース５５にデバイス情報を登録し、ステップＳ１０２において連動情報データベース５６に連動情報及び連動制御データを登録した後に、ステップＳ１０３においてデバイス情報及び連動制御データを、各入出管理制御盤４０Ａ、４０Ｂ、４０Ｃ・・・に伝送（ダウンロード）する手法を示したが、本発明はこれに限定されるものではなく、ステップＳ１０１においてデバイス情報データベース５５へのデバイス情報の登録が完了した時点で、該デバイス情報のみを関連する各入出管理制御盤４０Ａ、４０Ｂ、４０Ｃ・・・に伝送するようにしてもよい。
【００７９】
次に、上述した連動情報設定処理の手順において、連動情報データベースへの連動情報又は連動制御データの入力設定処理について、図面を参照してさらに詳しく説明する。
図１１は、図１０に示した連動情報設定処理のうち、コントロール装置における連動情報の入力設定作業の手順を示すフローチャートである。ここでは、上述した入出管理システムの構成（図１〜図３）及び連動元／連動先設定用ウィンドウ（図４〜図９）を適宜参照しながら説明する。
【００８０】
（ステップＳ２０１）
連動情報の入力設定処理は、図１１に示すように、まず、入出管理システムの管理者や提供者による連動情報の入力設定の要求により、コントロール装置５０のモニター５１ａ画面上に、図４に示したような連動元設定用ウィンドウが表示される。
【００８１】
（ステップＳ２０２／Ｓ２０３）
次いで、入出管理システムの管理者や提供者は、モニター５１ａ画面上に表示された連動元設定用ウィンドウに対して、連動元となる端末機器や入出管理制御盤、論理ゲート等を特定する情報（連動元情報）を入力する操作を行う。
ここで、連動元設定用ウィンドウに対して入力しようとしている連動元情報が、すでに連動情報データベース５６に登録済みの情報であるか否かによって、連動元情報の入力操作の方法が異なる。なお、連動元情報が連動情報データベース５６に登録されているか否かの判断は、連動元設定用ウィンドウに設けられた識別番号の表示項目を、プルダウンメニュー表示等させる。プルダウンメニュー表示させると、すでに登録されている連動元情報の識別番号と識別名称が並んで表示されるため、所望の連動元情報の識別番号及び識別名称が表示されるか否かを確認することにより行うことができる。
【００８２】
（ステップＳ２０４／Ｓ２０５）
上記ステップＳ２０３において、連動元として設定しようとする端末機器や入出管理制御盤等に関する情報が、連動情報データベース５６に未だ登録されていない情報である場合には、連動元設定用ウィンドウの該当する表示項目に、新たな連動元情報を入力設定する。
【００８３】
具体的には、識別番号及び識別名称の表示項目に、新規の番号及び名称をキーボード５１ｂ等を使用して直接文字入力し、また、連動動作を実行する入出管理制御盤の識別番号、連動動作の種別、連動元となる端末機器等の識別名称（Index１）、連動動作の起動条件（Index２）を、図５に示したように、該当する表示項目毎のプルダウンメニュー等に表示された複数の登録済み情報の中から選択することにより入力設定する。全ての表示項目を入力設定した後、連動元設定用ウィンドウの上部に設けられた追加ボタンをクリックする。
これにより、連動元設定用ウィンドウを介して入力設定された連動元情報は、連動情報データベース５６の所定の記憶領域に格納、登録される。
【００８４】
（ステップＳ２０６）
一方、上記ステップＳ２０３において、連動元として設定しようとする端末機器や入出管理制御盤等に関する情報が、すでに連動情報データベース５６に登録されている情報である場合には、連動元設定用ウィンドウに設けられた識別番号の表示項目を、プルダウンメニュー表示等させて、所望の連動元情報の識別番号及び識別名称を選択することにより、連動情報データベース５６に登録されている連動元情報を読み出して、連動元設定用ウィンドウの各表示項目に表示する。
【００８５】
なお、このステップＳ２０６は、すでに連動情報データベース５６に登録されている連動元情報をそのまま利用する場合の他に、例えば、すでに登録されている連動元情報を変更設定あるいは削除する場合や該連動元情報に関連付けられた連動先情報を追加、変更設定あるいは削除する場合、あるいは、連動元情報の設定内容を確認する場合等にも適用される。
【００８６】
この場合、追加、変更設定の対象となっている表示項目を、図５に示したように、プルダウンメニュー表示等させて、連動元となる端末機器や入出管理制御盤等に関する情報を選択し、例えば、連動元設定用ウィンドウに設けられた更新ボタンをクリック等することにより、任意の連動元情報を入力設定することができる。また、すでに登録されている連動元情報を削除する場合には、連動元設定用ウィンドウに該当する連動元情報を表示させた後、例えば、削除ボタンをクリック等することにより、連動情報データベース５６に登録されていた連動元情報を削除することができる。
【００８７】
（ステップＳ２０７／Ｓ２０８）
次いで、例えば、連動元設定用ウィンドウの下部に設けられた連動先設定用ウィンドウへの画面切り替えボタンをクリック等することにより、モニター５１ａ画面上に、上記連動元設定用ウィンドウに連動先設定用ウィンドウが付加され、図７に示したような両者が併存する形式で表示される。
【００８８】
なお、連動先設定用ウィンドウのモニター５１ａ画面上への表示形式は、上述したような連動元設定用ウィンドウと連動先設定用ウィンドウを併存させて表示する形式の他に、例えば、連動元設定用ウィンドウと連動先設定用ウィンドウが常に同一画面上に表示される形式であってもよいし、連動元設定用ウィンドウへの連動元情報の入力設定後、該連動元設定用ウィンドウに替えて、連動先設定用ウィンドウが表示される形式であってもよい。また、最初から連動元設定用ウィンドウと連動先設定用ウィンドウが両方表示されているようにしてもよい。この連動先設定用ウィンドウにおいて、先に選択した連動元情報に対して、すでに連動先情報が登録されている場合には、その連動先情報が一つ表示される。この連動先情報は、識別番号をプルダウンメニュー表示すれば、切り換え表示することができる。
【００８９】
（ステップＳ２０９）
次いで、連動先設定用ウィンドウの識別番号を選択もしくは直接入力して、登録したい連動先情報を選択する。新規の登録の場合には、新規の識別番号を選択する。なお、すでに登録されている連動先情報を変更したい場合には、識別番号をプルダウンメニュー表示された一覧から選択して、連動先情報を表示させる。
【００９０】
（ステップＳ２１０／Ｓ２１１）
次いで、入出管理システムの管理者や提供者は、モニター５１ａ画面上に表示された連動先設定用ウィンドウに対して、連動先となる端末機器や入出管理制御盤、論理ゲート等を特定する情報（連動先情報）を入力する操作を行う。
具体的には、連動先となる端末機器や入出管理制御盤、論理ゲート等の種別（デバイス名）、連動先となる端末機器や入出管理制御盤、論理ゲート等を特定する固有の名称（デバイスＩＤ）、連動動作に伴う動作制御の内容（制御ＩＤ）を、図８に示したように、該当する表示項目毎のプルダウンメニュー等に表示された複数の情報の中から選択することにより入力設定する。そして、新規追加の場合には、連動先設定用ウィンドウの上部に設けられた追加ボタンをクリックし、更新の場合には、更新ボタンをクリックする。
【００９１】
これにより、連動先設定用ウィンドウを介して入力設定された連動先情報が、連動情報データベース５６の所定の記憶領域に格納、登録される。
なお、すでに登録されている連動先情報を削除したい場合には、ステップＳ２０９において、削除したい連動先情報を選択した後に、連動先設定用ウィンドウの上部に設けられた削除ボタンを操作（クリック）することにより、削除することができる。
【００９２】
（ステップＳ２１２／Ｓ２１３）
次いで、上述した一連の連動情報の入力設定手順において、同一の連動元（連動元情報）に対して、上記連動先以外に、関連付けられる連動先（連動先情報）があるか否かが判断され、さらに登録したい連動先がある場合には、上記同一の連動先設定用ウィンドウにおいて、識別番号の表示項目を新規の番号に更新して、上述したステップＳ２１０、Ｓ２１１に示した処理手順を繰り返す。
【００９３】
（ステップＳ２１４）
そして、上記ステップＳ２１２において、同一の連動元（連動元情報）に対して、関連付けられる連動先（連動先情報）が全て入力設定された場合には、上記連動元以外に、異なる連動元（連動元情報）で登録したいものがあるか否かが判断され、さらに連動元がある場合には、再び図４に示した連動元設定用ウィンドウを表示して、上述したステップＳ２０１〜Ｓ２１３に示した処理手順を繰り返す。これにより、全ての連動元及びそれに関連する連動先が入力設定されて、連動情報データベース５６への連動情報の入力設定処理を完了する。
【００９４】
このような一連の入力設定処理により、連動情報データベース５６に登録された連動元及び連動先に基づいて規定される連動情報を基本単位として、該連動情報が論理演算的に組み合わされることにより、所望の連動動作を実行制御するための連動制御データが自動的に作成されて、連動情報データベース５６に格納される。すなわち、個別の連動元及び連動先により規定される連動情報が入力設定される毎に、連動制御データを構成する一要素が作成されて、順次連動情報データベース５６に格納され、上述した入力設定処理が進行するにしたがって、複数の連動情報が、例えば、多重的あるいは階層的に組み合わされて、入出管理システム全体又は一部の連動動作を実行制御するための連動制御データが自動的に作成される。
【００９５】
次に、上述した連動情報を組み合わせて連動制御データを作成する際に適用される論理ゲートについて、図面を参照して具体的に説明する。
図１２は、本発明に係る入出管理システムにおいて、連動制御データを作成する際に適用される論理ゲートの一例を示す図であり、図１３は、本発明に係る入出管理システムにおいて、連動制御データを作成する際に適用される論理ゲートの他の例を示す図である。また、図１４は、本発明に係る入出管理システムにより実現可能な連動機能を示す概念図である。
本発明に係る入出管理システムにおいては、連動情報の論理演算的組み合わせを実現するための論理演算要素（ソフト論理）として、以下に示すようなＡＮＤ（論理積）機能やＯＲ（論理和）機能、タイマー蓄積機能、反転機能等を良好に適用することができる。
【００９６】
ＡＮＤ機能は、図１２（ａ）に示すように、予め設定した複数の入力イベントの全てが発生（ＯＮ）した場合に、出力イベントを発生（ＯＮ）する。また、任意の一の入力イベントが復旧（ＯＦＦ）した場合には、出力イベントを復旧（ＯＦＦ）する。すなわち、連動元となる複数の端末機器等における連動動作の起動条件（入力イベント）が全て揃ったときに、連動先となる端末機器等の連動動作（出力イベント）が実行され、いずれかの端末機器等における起動条件が成立しなかったときに、連動先となる端末機器等の連動動作が停止される。具体的には、例えば、最大１６イベントを入力とするＡＮＤ機能を１論理ユニットとして、該論理ユニットを１６個備えるように構成することができる。
【００９７】
ＯＲ機能は、図１２（ｂ）に示すように、予め設定した複数の入力イベントのうち、任意の一の入力イベントが発生（ＯＮ）した場合に、出力イベントを発生（ＯＮ）する。また、全ての入力イベントが復旧（ＯＦＦ）した場合には、出力イベントを復旧（ＯＦＦ）する。すなわち、連動元となる複数の端末機器等のうち、いずれかにおける連動動作の起動条件（入力イベント）が成立したときに、連動先となる端末機器等の連動動作（出力イベント）が実行され、全ての端末機器等における起動条件が成立しなかったときに、連動先となる端末機器等の連動動作が停止される。ここで、ＡＮＤ機能やＯＲ機能の出力イベント数は、複数であってもよい。
【００９８】
タイマー蓄積機能は、図１２（ｃ）に示すように、入力イベントの発生（ＯＮ）に対して、当該発生状態を所定時間だけ蓄積、遅延して出力イベントを発生（ＯＮ）させるものであって、入出力イベント間にタイマー機能を設けることにより、入力イベントの発生に対する出力イベントの発生までの遅延時間を任意のタイミングに設定することができる。例えば、人の退室を検出して、所定の遅延時間後に防犯センサ３０の警戒を開始するような場合に使用される。
【００９９】
反転機能は、同一入力イベントの発生に対して、出力イベントの状態を交互に反転するものであり、例えば、図１３（ａ）に示すように、同一の入力イベントが発生（ＯＮ）するたびに、同一の出力イベントの状態を発生（ＯＮ）／復旧（ＯＦＦ）の交互に設定することができる。あるいは、図１３（ｂ）に示すように、同一の入力イベントが発生（ＯＮ）又は復旧（ＯＦＦ）するたびに、異なる出力イベントを発生（ＯＮ）又は復旧（ＯＦＦ）発生するように設定することができる。例えば、カードリーダ２０にカードを通すと、電気錠１０を解錠し、さらにカードを通すと、解錠状態にある電気錠１０を施錠することができる。また、カードリーダ２０にカードを通すと、未警戒状態にある防犯センサ３０を警戒状態に制御し、さらにカードを通すと、防犯センサ３０を未警戒状態に反転することができる。
【０１００】
このように、本発明に係る入出管理システムにおいては、上述したＡＮＤ機能やＯＲ機能、タイマー蓄積機能、反転機能等の論理演算要素を適用して、１対１の端末機器相互又は入出管理制御盤相互の連動動作を規定する基本単位の連動情報相互を組み合わせることにより、多重的あるいは階層的に構成された連動情報群からなる連動制御データを作成することができるので、図１４に示すように、全体として、複数の端末機器又は入出管理制御盤等を各々連動元及び連動先とするｍ入力対ｎ出力（ｍ、ｎは正の整数）の連動動作を実行制御することができる連動制御データを、簡易なソフトウェア的な作業で迅速かつ確実に自動的に作成することができる。
なお、上述したようなコントロール装置５０の構成や連動情報の入力設定処理は、市場に流通する汎用のパーソナルコンピュータを適用して容易に実現することができるので、簡易かつ安価に汎用性の高い連動機能を有する入出管理システムを提供することができる。当然、専用の端末機器等で行うようにしてもよい。
【０１０１】
【実施例】
次に、本発明に係る入出管理システムについて、ごく簡単な具体的な実施例を示して説明する。
＜第１の実施例＞
図１５は、本発明に係る入出管理システムの第１の実施例を示す概略構成図であり、図１６は、本実施例における連動情報の入力設定処理の手順を示す設定用ウィンドウの要部を示す概念図である。なお、上述した実施形態と同等の構成については、同一の符号を付して、その説明を省略する。
【０１０２】
本実施例に係る入出管理システムは、図１５に示すように、入出管理の対象となっている部屋ＲＭ１に対して、出入口ＩＯＡに設置された扉に設けられた電気錠１０ａと、その近傍に設けられたカードリーダ２０ａと、出入口ＩＯＢに設置された扉に設けられた電気錠１０ｂと、その近傍に設けられたカードリーダ２０ｂと、これらの各端末機器（電気錠１０ａ、１０ｂ、カードリーダ２０ａ、２０ｂ）が接続された入出管理制御盤４０Ａと、図１に示したようなコントロール装置５０（図示を省略）と、伝送Ｉ／Ｆユニット６０（図示を省略）と、伝送線（図示を省略）と、を有して構成されている。
このような構成を有する入出管理システムにおいて、カードリーダ２０ａにカードＣＤａを通したとき、カードＣＤａが有効ならば、電気錠１０ａを一時解錠し、同様に、カードリーダ２０ｂにカードＣＤｂを通したとき、カードＣＤｂが有効ならば、電気錠１０ｂを一時解錠する連動情報を登録する場合を示す。
【０１０３】
まず、図１６（ａ）に示すように、コントロール装置５０のモニター５１ａに表示された連動元設定用ウィンドウの所定の表示項目に連動元情報として、カードリーダ２０ａを連動元のデバイスとして設定（Index１）するとともに、該カードリーダ２０ａにより読み取られたＩＤカードの識別情報が有効である場合を連動動作の起動条件として設定（Index２）し、さらに、連動先設定用ウィンドウの所定の表示項目に連動先情報として、電気錠１０ａを連動先のデバイスとして設定（デバイスＩＤ）するとともに、該電気錠１０ａの一時解錠を連動動作に伴う動作制御の内容として設定（制御ＩＤ）する。ここで、連動元及び連動先情報の入力設定方法については、上述した実施形態（図１０、図１１参照）と同等であるので詳細を省略する。
これにより、出入口ＩＯＡにおいて、カードリーダ２０ａに対して有効なＩＤカードＣＤａによる操作を行った場合に電気錠１０ａを解除する連動動作を規定する連動情報（連動制御データ）が登録される。
【０１０４】
また、同様に、図１６（ｂ）に示すように、連動元設定用ウィンドウの所定の表示項目に連動元情報として、カードリーダ２０ｂを連動元のデバイスとして設定（Index１）するとともに、該カードリーダ２０ｂにより読み取られたＩＤカードの識別情報が有効である場合を連動動作の起動条件として設定（Index２）し、さらに、連動先設定用ウィンドウの所定の表示項目に連動先情報として、電気錠１０ｂを連動先のデバイスとして設定（デバイスＩＤ）するとともに、該電気錠１０ｂの一時解錠を連動動作に伴う動作制御の内容として設定（制御ＩＤ）する。
【０１０５】
これにより、出入口ＩＯＢにおいて、カードリーダ２０ｂに対して有効なＩＤカードＣＤｂによる操作を行った場合に電気錠１０ｂを解除する連動動作を規定する連動情報（連動制御データ）が登録される。
そして、コントロール装置５０において作成、登録された上記連動情報は、伝送Ｉ／Ｆユニット６０を介して、対応する入出管理制御盤４０Ａにダウンロードされて、該連動情報に基づいて、各出入口ＩＯＡ、ＩＯＢ毎に対応して設けられた各端末機器相互（カードリーダ−電気錠）の１入力対１出力の連動動作が個別独立して実行制御される。
【０１０６】
このような連動設定がされた状態で、利用者がカードリーダ２０ａにカードＣＤａを挿通した場合に、入出管理制御盤４０Ａは、挿通されたカードＣＤａの識別情報を取り込み、予め設定されたカードの識別情報毎の入室の可否が登録された認証データベースに基づいて、入室許可（カード有効）か否かが判断され、カード有効であれば、連動情報に基づいて、電気錠１０ａを一時解錠する制御を行う。これによって、利用者は部屋ＲＭ１に入室することができる。
【０１０７】
＜第２の実施例＞
図１７は、本発明に係る入出管理システムの第２の実施例を示す概略構成図であり、図１８は、本実施例における連動情報の入力設定処理の手順を示す設定用ウィンドウの要部を示す概念図である。なお、上述した実施形態と同等の構成については、同一の符号を付して、その説明を省略する。
本実施例に係る入出管理システムは、図１７に示すように、上述した実施例に示した構成（図１５）に加えて、部屋ＲＭ２内に防犯センサ３０が設けられ、この防犯センサ３０が他の端末機器（電気錠１０ａ、１０ｂ、カードリーダ２０ａ、２０ｂ）とともに、入出管理制御盤４０Ａに接続された構成を有している。
このような構成を有する入出管理システムにおいて、部屋ＲＭ２に設けられた全てのカードリーダ２０ａ、２０ｂにおいて、警戒開始操作がされた場合に、部屋ＲＭ２内の防犯センサ３０の警戒をセット（開始）するように連動設定する場合を示す。
【０１０８】
まず、図１８（ａ）に示すように、コントロール装置５０のモニター５１ａに表示された連動元設定用ウィンドウの所定の表示項目に連動元情報として、カードリーダ２０ａを連動元のデバイスとして設定（Index１）するとともに、該カードリーダ２０ａによる警戒開始のボタン操作を連動動作の起動条件として設定（Index２）し、さらに、連動先設定用ウィンドウの所定の表示項目に連動先情報として、論理ゲート１（ＡＮＤ／ＯＲ）の入力接点（１−１）を連動先のデバイスとして設定（デバイスＩＤ）するとともに、該論理ゲート１によるＡＮＤ論理出力（ＡＮＤ  ＯＮ）を連動動作に伴う動作制御の内容として設定（制御ＩＤ）する。
これにより、出入口ＩＯＡにおいて、警戒開始の操作に対して論理ゲート１の入力接点（１−１）にハイレベルが印加される連動動作を規定する連動情報（連動制御データ）が登録される。
【０１０９】
また、同様に、図１８（ｂ）に示すように、連動元設定用ウィンドウの所定の表示項目に連動元情報として、カードリーダ２０ｂを連動元のデバイスとして設定（Index１）するとともに、該カードリーダ２０ｂによる警戒開始のボタン操作を連動動作の起動条件として設定（Index２）し、さらに、連動先設定用ウィンドウの所定の表示項目に連動先情報として、論理ゲート１（ＡＮＤ／ＯＲ）の入力接点（１−２）を連動先のデバイスとして設定（デバイスＩＤ）するとともに、該論理ゲート１によるＡＮＤ論理出力（ＡＮＤ  ＯＮ）を連動動作に伴う動作制御の内容として設定（制御ＩＤ）する。
これにより、出入口ＩＯＢにおいて、警戒開始のボタン操作に対して論理ゲート１の入力接点（１−２）にハイレベルが印加される連動動作を規定する連動情報（連動制御データ）が登録される。
【０１１０】
次いで、図１８（ｃ）に示すように、連動元設定用ウィンドウの所定の表示項目に連動元情報として、論理ゲート１の出力（ＡＮＤ連動１）を連動元のデバイスとして設定（Index１）するとともに、該論理ゲート１におけるＯＮ出力（ＡＮＤ出力）を連動動作の起動条件として設定（Index２）し、さらに、連動先設定用ウィンドウの所定の表示項目に連動先情報として、防犯センサ３０を連動先のデバイスとして設定（デバイスＩＤ）するとともに、該防犯センサの警戒開始（セット）を連動動作に伴う動作制御の内容として設定（制御ＩＤ）する。
これにより、論理ゲート１において、ＯＮ出力された場合に防犯センサ３０をセットする連動動作を規定する連動情報（連動制御データ）が登録される。
【０１１１】
このように、コントロール装置５０のモニター５１ａ画面上に表示される連動元設定ウィンドウ及び連動先設定ウィンドウを介して、端末機器、入出管理制御盤及び論理ゲート相互の連動動作を規定する連動元情報及び連動先情報を入力設定する際に、基本単位となる連動情報相互を所定の論理ゲートを介して組み合わせることにより、多重的あるいは階層的に構成された連動情報群からなる連動制御データが作成される。
【０１１２】
ここで、上記と同様の手順により、論理ゲート１のＯＮ出力あるいはＯＦＦ出力に対して、上記防犯センサ３０以外の端末機器の動作状態を規定する他の連動情報や、カードリーダ２０ａ、２０ｂ以外の端末機器における所定の動作状態に対して、論理ゲート１の他の入力接点、あるいは、ＡＮＤ機能以外の上述した論理ゲート（図１２、図１３参照）を連動先とする他の連動情報を、さらに入力設定することにより、部屋ＲＭ２全体あるいは入出管理の対象となる施設全体において、ｍ入力対ｎ出力（ｍ、ｎは正の整数）の連動動作を実行制御するための連動制御データを、簡易なソフトウェア的な作業で迅速かつ確実に自動的に作成することができる。
【０１１３】
なお、図６、図９に示した他盤連動においても、上記の論理連動の場合と同様に、段階的に設定する。すなわち、まず、連動元設定用ウィンドウにおいて、連動元として、端末機器の情報を選択し、連動先設定用ウィンドウにおいて、デバイス名を他盤連動とし、デバイスＩＤとして連動先となる入出管理制御盤の番号を、また、制御ＩＤとして他盤連動を識別するための他盤連動ＩＤを各々選択して登録する。次に、連動元設定用ウィンドウに戻り、連動元画面の制御盤として、最終的に連動させる端末機器の入出管理制御盤の番号を選択し、連動種別に他盤連動を、また、Index１に他盤連動ＩＤを入力して登録する。そして、連動先設定用ウィンドウに切り換えて、連動先として最終的に制御したい端末機器の制御内容を設定する。このように、他盤連動の場合は、２段階で設定する。
【０１１４】
なお、上述した各実施例は、本発明に係る入出管理システムのごく簡単な適用例を示したものにすぎず、本発明の構成を何ら限定するものではない。したがって、上述した構成及び制御方法を適用することにより、入出管理の対象となる施設又は部屋に設置される端末機器の種類や個数、また、施設又は部屋の用途や重要度、顧客の要望等に応じた、より複雑かつ高度な入出管理システムであっても、所望の連動機能を汎用的に構築することができる。さらに、連動先の端末機器としては、前述したもの以外に、照明装置等の機器のＯＮ／ＯＦＦを制御するようにしてもよい。この場合は、図６や図９の汎用接点のＯＮ、ＯＦＦを使用して制御を行う。
【０１１５】
【発明の効果】
本発明に係る入出管理システムによれば、連動制御データ作成手段により１対１又は複数の端末機器相互又は入出管理制御手段相互の連動動作を制御する基本単位の連動情報を組み合わせて、多重的あるいは階層的に構成された連動情報群からなる連動制御データを作成することができるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。したがって、施設又は部屋に設けられる端末機器の種類や個数、また、施設又は部屋の用途や重要度、顧客の要望等に応じて、さらには、施設又は部屋の増改築等に伴う端末機器の追加や変更等に対して、端末機器相互のみならず、システム全体においても所望の連動機能を汎用的に構築することができる入出管理システムを提供することができる。
【０１１６】
また、本発明に係る入出管理システムの制御方法によれば、連動元及び連動先となる端末機器又は入出管理制御手段を設定登録する入力設定作業のみで、端末機器相互又は入出管理制御手段相互の任意の連動動作を実行制御するための連動情報及び連動制御データが作成されて連動情報データベースに登録されるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。
【０１１７】
さらに、本発明に係る入出管理システムの制御プログラムによれば、予め表示形式が定められた連動元及び連動先入力設定手段を介して、モニター画面上で連動元及び連動先となる端末機器又は入出管理制御手段等に関する情報を対話式で入力設定する作業のみで、端末機器相互又は入出管理制御手段相互の任意の連動動作を実行制御するための連動情報及び所望の連動動作を実行制御するための連動制御データが自動的に作成されて連動情報データベースに登録されるので、各々複数の端末機器又は入出管理制御手段を連動元及び連動先とするｍ入力対ｎ出力（ｍ、ｎは正の整数）の連動動作を、簡易な入力操作で迅速かつ確実に実現することができる。
特に、本発明に係る連動情報の設定方法によれば、予め登録された連動元及び連動先に基づいて規定される連動情報を基本単位として、該連動情報が論理演算的に組み合わされることにより、多重的あるいは階層的に構成された連動情報、又は、該連動情報群からなる連動制御データを作成することができるので、各々複数の端末機器又は入出管理制御手段を連動元及び連動先とするｍ入力対ｎ出力（ｍ、ｎは正の整数）の連動動作を簡易なソフトウェア的な作業で迅速かつ確実に実現することができる。
【図面の簡単な説明】
【図１】本発明に係る入出管理システムの一実施形態を示す概略構成図である。
【図２】本実施形態に係る入出管理システムに適用可能な入出管理制御盤の一構成例を示すブロック図である。
【図３】本実施形態に係る入出管理システムに適用可能なコントロール装置の一構成例を示すブロック図である。
【図４】本発明に係る入出管理システムに適用される連動元情報の設定用ウィンドウの一例を示す表示例である。
【図５】連動元情報の入力設定時に表示されるプルダウンメニューの一例を示す表示例である。
【図６】連動元設定用ウィンドウに設けられた表示項目に、参照表示が可能な連動元情報の一例を示す表である。
【図７】本発明に係る入出管理システムに適用される連動先情報の設定用ウィンドウの一例を示す表示例である。
【図８】連動先情報の入力設定時に表示されるプルダウンメニューの一例を示す表示例である。
【図９】連動先設定用ウィンドウに設けられた表示項目に、参照表示が可能な連動先情報の一例を示す表である。
【図１０】本発明に係る入出管理システムに適用される連動情報設定処理の手順を示すフローチャートである。
【図１１】図１０に示した連動情報設定処理のうち、コントロール装置における連動情報の入力設定作業の手順を示すフローチャートである。
【図１２】本発明に係る入出管理システムにおいて、連動制御データを作成する際に適用される論理ゲートの一例を示す図である。
【図１３】本発明に係る入出管理システムにおいて、連動制御データを作成する際に適用される論理ゲートの他の例を示す図である。
【図１４】本発明に係る入出管理システムにより実現可能な連動機能を示す概念図である。
【図１５】本発明に係る入出管理システムの第１の実施例を示す概略構成図である。
【図１６】本実施例における連動情報の入力設定処理の手順を示す設定用ウィンドウの要部を示す概念図である。
【図１７】本発明に係る入出管理システムの第２の実施例を示す概略構成図である。
【図１８】本実施例における連動情報の入力設定処理の手順を示す設定用ウィンドウの要部を示す概念図である。
【図１９】従来技術における入出管理システムの連動機能を示す概念図である。
【符号の説明】
１０、１０ａ〜１０ｃ    電気錠
２０、２０ａ〜２０ｃ    カードリーダ
３０                    防犯センサ
４０、４０Ａ〜４０Ｃ    入出管理制御盤
４１                    識別処理部
４２                    電気錠制御部
４３                    通信制御部
５０                    コントロール装置
５１                    入力インターフェース部
５２                    デバイス情報設定制御部
５３                    連動情報設定制御部
５４                    ダウンロード制御部
５５                    デバイス情報データベース
５６                    連動情報データベース
６０                    伝送Ｉ／Ｆユニット
【図１】
0004783514.tif 000002
【図２】
0004783514.tif 000003
【図３】
0004783514.tif 000004
【図４】
0004783514.tif 000005
【図５】
0004783514.tif 000006
【図６】
0004783514.tif 000007
【図７】
0004783514.tif 000008
【図８】
0004783514.tif 000009
【図９】
0004783514.tif 000010
【図１０】
0004783514.tif 000011
【図１１】
0004783514.tif 000012
【図１２】
0004783514.tif 000013
【図１３】
0004783514.tif 000014
【図１４】
0004783514.tif 000015
【図１５】
0004783514.tif 000016
【図１６】
0004783514.tif 000017
【図１７】
0004783514.tif 000018
【図１８】
0004783514.tif 000019
【図１９】
0004783514.tif 000020